(57)【要約】      （修正有）【課題】簡便な構成にて、原本と複写物とを明瞭に判別可能なコピー判別用紙を提供する。【解決手段】コピー判別用紙１０は、用紙のうちその周縁部に位置して四角枠状をなすコピー不能領域ＮＡに、コピー判別模様１１が印刷されている。ユーザーがコピー判別用紙１０に希望の情報を掲載して原本１０Ａとした後、この原本１０Ａのコピーをとった際には、原本１０Ａで視認されたコピー判別模様１１は複写物には再現されない。その結果、当該コピー判別模様１１の有無により、原本１０Ａと複写物とを明瞭に判別することが可能となる。【選択図】図１
2009012200.tif 000002
【特許請求の範囲】
【請求項１】
用紙のうちその周縁部に位置して四角枠状をなすコピー不能領域に、コピー判別模様が印刷されているコピー判別用紙。
【請求項２】
前記コピー判別模様は、前記コピー不能領域内に形成された四角枠状の直線である請求項１に記載のコピー判別用紙。
【請求項３】
前記コピー判別模様は、前記コピー不能領域とその内側のコピー可能領域との間の境界を跨ぐ波形模様である請求項１に記載のコピー判別用紙。
【請求項４】
前記コピー不能領域の内側のコピー可能領域に、コピー時に再現され難い網点で構成してなる背景部と、コピー時に再現され易い網点で構成してなり、かつ、前記背景部と識別困難な潜像とが印刷されている請求項１ないし請求項３のいずれか一項に記載のコピー判別用紙。
【請求項５】
前記潜像は、高密度で配列する小ドットにより構成される前記背景部に比して、低密度で配列する大ドットにより構成されてなることを特徴とする請求項４に記載のコピー判別用紙。
【発明の詳細な説明】
【技術分野】
【０００１】
本発明は、コピー判別用紙に関する。
【背景技術】
【０００２】
従来、印刷物をコピー機によってコピーすると、原本では見えなかった隠し模様が複写物に現出して、複写物であることを明瞭に判別し得るようにしたコピー判別用紙が提案されている（例えば特許文献１参照）。この種のコピー判別用紙は原本と複写物とを明瞭に判別できるため、不正コピーの抑止効果や書類管理の容易化が期待できる。
【特許文献１】特許第３２３０７５３号公報
【発明の開示】
【発明が解決しようとする課題】
【０００３】
ところで、近年の情報管理の徹底への要望から、原本と複写物とを判別する新規の判別手段の開発が望まれるところであり、また、複数の異なる判別手段を１つの用紙に組み込むことにより、原本と複写物との判別をより確実なものとすることが望まれている。この場合、組み込まれる判別手段は、原本のみならず、複写物においても、情報掲示領域における情報の視認性を阻害しないものであることが好ましい。
【０００４】
本発明は、上記のような事情に基づいてなされたものであって、簡便な構成にて、原本と複写物とを明瞭に判別可能なコピー判別用紙を提供することを目的としている。
【課題を解決するための手段】
【０００５】
上記課題を解決するために、本発明のコピー判別用紙は、用紙のうちその周縁部に位置して四角枠状をなすコピー不能領域に、コピー判別模様が印刷されている構成としたところに特徴を有する。
【０００６】
本発明者らは、情報の視認性を阻害しないコピー判別手段の検討を重ねる中で、一般的なコピー機は用紙の全域に亘ってはコピーすることができない、すなわち、原本の用紙の周縁から３ｍｍ〜５ｍｍ程度の幅の領域に表示されている情報・模様は複写物には再現されないという特性があることに着目した。これを用紙から見れば、用紙にはその周縁部に位置して四角枠状をなすコピー不能領域が存在するのである。
【０００７】
本発明はこの特性を利用しており、原本とされ得る用紙において、予め当該用紙周縁部に位置している四角枠状をなすコピー不能領域に、コピー判別模様を印刷しておく。ユーザーがこの用紙に希望の情報を掲載して原本とした後、この用紙のコピーをとった際には、原本で視認されたコピー判別模様は複写物には再現されない。その結果、当該コピー判別模様の有無により、原本と複写物とを明瞭に判別することが可能となる。
【０００８】
また、前記コピー判別模様は、前記コピー不能領域内に形成された四角枠状の直線とすることができる。
コピー判別模様は、直線のような簡便な構成であっても、原本と複写物とを判別するという機能は充足されるとともに、コピー不能領域に沿って配される直線を形成しておくことにより、当該直線の内側がコピー可能な領域であることをユーザーに容易に認識させることが可能となる。
【０００９】
また、前記コピー判別模様は、前記コピー不能領域とその内側のコピー可能領域との間の境界を跨ぐ波形模様とすることができる。
このようにコピー不能領域とその内側のコピー可能領域（情報掲示領域と同一の領域）との間の境界に跨ってコピー判別模様を形成することにより、複写物に現出した模様を確認することで、原本と複写物とを明瞭に判別することが可能となる。つまり、複写物にて視認可能な模様は、原本に形成されたコピー判別模様に比して、その外周側が消失した不完全な模様となっており、両者を容易に判別することが可能となる。
【００１０】
また、本発明のコピー判別用紙は、前記コピー不能領域の内側のコピー可能領域に、コピー時に再現され易い網点で構成してなる潜像と、この潜像の周囲部分にコピー時に再現されにくい網点で構成してなる背景とが印刷されているものとすることができる。
このように、原本では背景部との識別困難であり、一方複写物では再現され易く視認可能となる潜像を予め形成しておくことにより、当該潜像の視認可否により原本と複写物とを容易に判別することが可能となる。
【００１１】
また、前記潜像は、高密度で配列する小ドットにより構成される前記背景部に比して、低密度で配列する大ドットにより構成されてなるものとすることができる。
このように、小ドットからなる背景と、大ドットからなる潜像とを組み合わせることにより、原本においては、ドット密度が高い背景部は視認し易い一方、ドット密度が低い潜像は視認し難いものとされる。この原本のコピーをとると、コピー機の解像特性の影響により、小ドットはコピーされ難く、大ドットはより強調されてコピーされることとなる。これにより、大ドットにて形成された潜像を、複写物で初めて現出させることが可能となる。
【発明の効果】
【００１２】
本発明によると、簡便な構成にて、原本と複写物とを明瞭に判別可能なコピー判別用紙を提供することが可能となる。
【発明を実施するための最良の形態】
【００１３】
＜実施形態１＞
本発明の実施形態１を図１ないし図４によって説明する。
図１は、本実施形態に係るコピー判別用紙１０を示す。
コピー判別用紙１０は、周縁から３ｍｍ内側の位置に、当該周縁に沿って直線の四角枠（コピー判別模様）１１が印刷されている。さらに、この四角枠１１に囲まれた内側の領域には、背景部１２とともに隠し文字（潜像）１３として「ＣＯＰＹ」の文字が印刷されている。
【００１４】
図２は背景部１２及び隠し文字１３の部分拡大平面図である。
この背景部１２は、図２に示すように、小ドットが密に配列する態様にて印刷されており、ドット密度が高いために肉眼にて明瞭に視認できるものとされている。一方、隠し文字１３は、大ドットが疎に配列する態様にて印刷されており、背景部１２に比してドット密度が低いため、視認し難いものとされている。これにより、背景部１２と隠し文字１３とは識別困難なものとされている。
【００１５】
ところで、このようなコピー判別用紙１０は、その周縁から５ｍｍ内側までの幅の四角枠状の領域は、複写物２０に再現されないコピー不能領域ＮＡとされ、そのコピー不能領域ＮＡの内側のみがコピー可能領域ＡＡとされる（図１参照）。
【００１６】
そこで、かかる構成のコピー判別用紙１０において、ユーザーは、周縁に沿った四角枠１１を目印として、その内側のコピー可能領域ＡＡに希望の情報を印刷することで原本１０Ａを作成する。この場合、原本１０Ａをコピー機にかけて得られる複写物２０では、コピー可能領域ＡＡに印刷した情報はそのまま印刷される一方、コピー不能領域ＮＡに印刷された四角枠１１は、図３に示すように、印刷されずに余白として認識される。
なお、複写物２０においては、図３に示すように四角枠１１が完全に消失した状態で複写されるものに限らず、原本１０Ａがコピー機の読取中心から僅かにずれた位置に置かれてコピーされた場合には、図４に示すように四角枠１１の一部が消失した状態で複写されることもある。
【００１７】
また、コピー判別用紙１０のコピー可能領域ＡＡに印刷されていた背景部１２がコピーされてなる複写背景部２２は、背景部１２が小ドットで印刷されているためコピー時に解像しきれず、非常に淡い印刷として現出する。一方、隠し文字１３がコピーされてなる複写隠し文字２３は、隠し文字１３が大ドットで印刷されているため全てのドットが解像され、複写背景部２２に対して明瞭に識別可能なものとして現出する。
【００１８】
以上説明したように、本実施形態においては、周縁に配されるコピー不能領域ＮＡに予め四角枠１１が印刷されたコピー判別用紙１０を使用して原本１０Ａを作成している。
これにより、この原本１０Ａをコピー機にかけて得られる複写物２０では、コピー不能領域ＮＡに印刷された四角枠１１は再現されないため、原本１０Ａと複写物２０とは、それぞれこの四角枠１１の有無により容易に判別することが可能となる。
また、この四角枠１１は、ユーザーの情報掲載領域（すなわちコピー可能領域ＡＡ）の外側に印刷されているものであるため、その情報の視認に全く影響を与えない。さらに、この四角枠１１の印刷により、当該四角枠１１の内側がコピー可能領域ＡＡであることをユーザーが容易に認識することができる。
【００１９】
また、本実施形態においては、コピー可能領域ＡＡに、高密度で配列する小ドットからなる背景部１２と、低密度で配列する大ドットからなる隠し文字１３とが印刷されている。
これにより、コピー判別用紙１０を用いた原本１０Ａにおいては、隠し文字１３は、そのドット密度が背景部１２に比して低いため肉眼では視認し難く、背景部１２と識別することが困難である。これに対して複写物２０では、複写背景部２２は、背景部１２が小ドットよりなるためコピー時に解像しきれず、淡い印刷として現出される一方、複写隠し文字２３は、隠し文字１３が大ドットからなるため全てのドットが解像され、複写背景部２２に対して明瞭に識別可能なものとして現出されることとなる。
このように、原本１０Ａでは視認し難い隠し文字１３が、複写物２０では複写隠し文字２３として顕在化することにより、複写物２０であることが明瞭に認識でき、原本１０Ａと複写物２０とを容易に判別することが可能となる。
【００２０】
＜実施形態２＞
次に、本発明の実施形態２を図５及び図６によって説明する。前記実施形態１との相違は、コピー不能領域に印刷された四角枠をコピー不能領域とコピー可能領域との間の境界に跨る波形枠としたところにあり、その他は前記実施形態と同様である。前記実施形態と同一部分には、同一符号を付して重複する説明を省略する。
【００２１】
図５は本実施形態に係るコピー判別用紙３０の平面図である。
コピー判別用紙３０は、図５に示すように、周縁から５ｍｍの位置を中心線として、周縁から２ｍｍないし８ｍｍの領域で囲まれる幅に、凹凸のなだらかな起伏を連続させる波形枠（コピー判別模様）３１が印刷されてなる。すなわち、波形枠３１は、コピー不能領域ＮＡとコピー可能領域ＡＡとの境界を中心線として両領域に跨る態様とされている。
【００２２】
かかる構成のコピー判別用紙３０をコピー機にかけて得られる複写物４０においては、図６に示すように、波形枠３１がコピーされてなる複写波形枠４１は、波形枠３１のうちコピー不能領域ＮＡに印刷された部分については再現されないため、外周部が消失した不完全な波模様となって現出する。
【００２３】
以上説明したように、本実施形態においては、コピー判別用紙３０を、そのコピー不能領域ＮＡとコピー可能領域ＡＡとの間の境界に跨る波形枠３１を備えた構成としている。
これにより、当該コピー判別用紙３０を用いた原本３０Ａをコピー機にかけて得られた複写物４０では、原本３０Ａに印刷された波形枠３１のうちコピー不能領域ＮＡに印刷された部分については再現されないため、複写波形枠４１は不完全な波模様として視認される。その結果、この波形枠３１と複写波形枠４１とを比較することにより、それぞれ原本３０Ａと複写物４０とを容易に判別することが可能となる。
【００２４】
＜他の実施形態＞
以上、本発明の実施形態について示したが、本発明は上記記述及び図面によって説明した実施形態に限定されるものではなく、例えば次のような実施形態も本発明の技術的範囲に含まれる。
【００２５】
（１）上記した実施形態１では、コピー不能領域に印刷された四角枠と、コピー可能領域に印刷された隠し文字とを組み合わせる構成としたが、コピー不能領域にコピー判別模様を印刷しておくだけの構成としても原本と複写物とを判別する効果を奏する。
【００２６】
（２）上記した実施形態１では、コピー不能領域に印刷された四角枠を、ユーザーにコピー可能領域を認識させるための目印としたが、これとは別に、例えば図７に示すようにコピー不能領域の四隅に、鉤状のコピー判別模様５０を印刷しておくものとしても良い。
【００２７】
（３）上記した実施形態２では、コピー可能領域とコピー不能領域との境界を跨ぐ波形枠を視認可能な態様にて印刷しておくものとしたが、例えば、この波形枠をコピー時に再現され易い網点で構成した視認性の低い潜像として形成しても良い。この場合、原本では当該波形枠は視認されず、複写物において初めて不完全な複写波形枠が現出するものとされ、原本と複写物とを容易に判別することができる。また、図８に示すように、コピー時に再現され易い網点で構成した視認性の低い潜像によってコピー可能領域に地模様６０を形成し、その地模様の外周縁部にコピー不能領域とコピー可能領域との間の境界を跨ぐ波形模様６１を地模様と同様の潜像によって形成しても良い。
【００２８】
（４）上記した実施形態では、コピー判別模様は、コピー可能領域を取り囲む枠状の図柄としたが、これに限らず、周縁の一部に形成されるものとしても良い。また、図柄としては、種々の図の組み合わせ、あるいは文字の配列等としても良い。
【００２９】
（５）上記した実施形態では、潜像として、複写物であることを示す「ＣＯＰＹ」の文字を例示したが、これに限らず、文字、図柄等から任意のものを選択することができる。
【図面の簡単な説明】
【００３０】
【図１】本発明の実施形態１に係るコピー判別用紙の平面図。
【図２】同コピー判別用紙の部分拡大平面図。
【図３】同コピー判別用紙をコピー機にかけて得られた複写物の平面図。
【図４】同コピー判別用紙をコピー機の読み取り中心からずれた位置でコピー機にかけて得られた複写物の平面図。
【図５】実施形態２に係るコピー判別用紙の平面図。
【図６】同コピー判別用紙をコピー機にかけて得られた複写物の平面図。
【図７】コピー判別模様の一変形例を示す要部拡大平面図。
【図８】コピー判別模様の一変形例を示す平面図。
【符号の説明】
【００３１】
１０，３０…コピー判別用紙
１０Ａ，３０Ａ…原本
１１…四角枠（コピー判別模様）
１２…背景部
１３…隠し文字（潜像）
２０，４０…複写物
３１…波形枠（コピー判別模様）
ＡＡ…コピー可能領域
ＮＡ…コピー不能領域
【図１】
2009012200.tif 000003
【図２】
2009012200.tif 000004
【図３】
2009012200.tif 000005
【図４】
2009012200.tif 000006
【図５】
2009012200.tif 000007
【図６】
2009012200.tif 000008
【図７】
2009012200.tif 000009
【図８】
2009012200.tif 000010